(57)【要約】【課題】本発明は、ファンユニットを容易に電子装置に固定することができるファンユニット固定装置を提供することを目的とする。【解決手段】本発明に係るファンユニット固定装置は、ファンユニットを固定することに用いられ、電子装置内に固定される１つの固定板と、前記ファンユニットを収納する１つのフレームと、を備え、前記固定板には、１つの通風孔が設けられ、前記通風孔の両側からＬ字状を呈し、且つ互いに対向する２つの係止部が前記固定板に対して垂直に延伸し、前記フレームは、前記固定板と前記係止部との間に係止される２つの挿入部を備える。【選択図】図１
2013065815.tif 000002
【特許請求の範囲】
【請求項１】
ファンユニットを固定することに用いられるファンユニット固定装置であって、
電子装置内に固定される１つの固定板と、
前記ファンユニットを収納する１つのフレームと、を備え
前記固定板には、１つの通風孔が設けられ、前記通風孔の両側からＬ字状を呈し、且つ互いに対向する２つの係止部が、前記固定板に対して垂直に延伸し、前記フレームは、前記固定板と前記係止部との間に係止される２つの挿入部を備えることを特徴とするファンユニット固定装置。
【請求項２】
前記フレームは、基板と前記基板の周囲から垂直に延伸する延伸部とを備え、前記基板には１つの通風孔が設けられ、前記延伸部は前記ファンユニットを収納し、前記フレームの挿入部は、前記基板の対向する一対の端辺から互いに離れる方向に向けて延伸することを特徴とする請求項１に記載のファンユニット固定装置。
【請求項３】
更に複数の弾性材料によって造られた固定部材を備え、前記固定部材は、前記基板を貫通し、且つ前記ファンユニットに係合されることを特徴とする請求項２に記載のファンユニット固定装置。
【請求項４】
前記固定部材は、ヘッドと前記ヘッドから延伸する円錐状のピンとをそれぞれ備え、前記ピンの円周面には、平行な２つの環状槽が設けられ、前記基板及び前記ファンユニットの１つの端壁は共に前記固定部材の前記環状槽に係合されることを特徴とする請求項３に記載のファンユニット固定装置。
【発明の詳細な説明】
【技術分野】
【０００１】
本発明は、ファンユニット固定装置に関するものである。
【背景技術】
【０００２】
従来の技術において、ファンユニットを電子装置、例えばパソコンに設置固定するには、ネジ等を使用するのが一般的であるが、その操作は繁雑で且つ時間を要する。
【発明の概要】
【発明が解決しようとする課題】
【０００３】
本発明の目的は、前記課題を解決し、ファンユニットを容易に電子装置に設置固定することができるファンユニット固定装置を提供することである。
【課題を解決するための手段】
【０００４】
上記目的を達成するために、本発明に係るファンユニット固定装置は、電子装置内に固定される１つの固定板と、前記ファンユニットを収納する１つのフレームと、を備え、前記固定板には、１つの通風孔が設けられ、該通風孔の両側からＬ字状を呈し、且つ互いに対向する２つの係止部が、前記固定板に対して垂直に延伸し、前記フレームは、前記固定板と前記係止部との間に係止される２つの挿入部を備える。
【発明の効果】
【０００５】
本発明に係るファンユニット固定装置は、前記ファンユニットを前記フレーム内に収納し、前記フレームの挿入部を、前記固定板と前記固定板に設置された係止部との間に係止させることで、前記ファンユニットを電子装置の固定板に固定できるため、容易に固定することができ且つ固定する時間を要さない。
【図面の簡単な説明】
【０００６】
【図１】本発明の実施形態に係るファンユニット固定装置の分解斜視図である。
【図２】図１に示すファンユニット固定装置の一部を別の角度から見た分解斜視図である。
【図３】図１に示すファンユニット固定装置の組立後の状態を示す図である。
【発明を実施するための形態】
【０００７】
本発明の実施形態に係るファンユニット固定装置は、ファンユニット１０を電子装置内に設置固定することに使用される。図１及び図２に示したように、前記ファンユニット固定装置は、電子装置のケーシング５０と、１つの固定板２０と、１つのフレーム３０及び４つの固定部材４０と、を備える。
【０００８】
前記ファンユニット１０は、正方形を呈し、且つ互いに対向する２つの端壁１２を備え、該２つの端壁１２の４つの角部には、固定孔１２０がそれぞれ設けられている。
【０００９】
前記ケーシング５０は、底板５２を備える。前記固定板２０は、前記底板５２上に前記底板５２に対して垂直に設置され、且つ該固定板２０上には、１つの通風孔２３が設けられている。また、前記１つの通風孔２３の両側には、平面視でＬ字状を呈する２つの係止部２４が対向して設置されている。前記係止部２４の基端部は、前記固定板２０に対して垂直に延伸し、前記係止部２４の自由端部は、基端部に対して垂直に且つ他方の係止部２４の自由端部に向けて内側に屈曲して延伸する。
【００１０】
前記フレーム３０は、正方形の基板３２と、前記基板３２の周囲から前記基板３２に対して全周にわたって垂直に延伸する１つの延伸部３３と、を備える。前記基板３２には、その中心部に、１つの通風孔３２０が設けられている。また、前記基板３２の４つの角部には、４つの通孔３６が設けられている。前記基板３２のうち対向する一対の端辺には、互いに離れる方向に向けて一対の挿入部３８がそれぞれ延伸する。
【００１１】
前記固定部材４０は弾性材料によって造られ、且つヘッド４２及び前記ヘッド４２から垂直に延伸する円錐状のピン４４を備える。前記ピン４４の円周面には、互いに平行な２つの環状槽４６が設けられている。
【００１２】
本発明のファンユニット固定装置を組み立てる際、先ず、前記ファンユニット１０を前記フレーム３０内に設置して、前記基板３２の前記４つの通孔３６と１つの前記端壁１２の４つの前記固定孔１２０とが対向するようにする。次いで、前記固定部材４０の前記ピン４４を、対応する前記通孔３６及び前記固定孔１２０に係合させて、前記ファンユニット１０を前記フレーム３０内に固定させる。この時、前記基板３２の前記４つの通孔３６及び１つの前記端壁１２の４つの前記固定孔１２０は、共に前記ピン４４の前記環状槽４６と係合し、且つ１つの前記端壁１２の４つの前記固定孔１２０はピン４４に貫通される。また、この時、前記固定部材４０の前記ヘッド４２は、前記基板３２の表面で止まる。これにより、前記ファンユニット１０は、前記フレーム３０内に設置固定される。また、前記固定部材４０は、弾性材料によって造られているので、前記ファンユニット１０の振動を低減することができる。
【００１３】
次いで、前記フレーム３０の前記２つの挿入部３８を、底板５２に対して垂直方向で上から下に向けて、前記係止部２４と前記固定板２０との間に挿入する。この時、前記フレーム３０の底部は前記底板５２に当接される。以上により、前記ファンユニット固定装置の組み立てが完了する。
【００１４】
また、前記ファンユニット１０を取り外す際、底板５２に対して垂直方向で下から上に向けて、前記フレーム３０を移動させて、前記フレーム３０の前記挿入部３８を前記係止部２４と前記固定板２０との間から取り出す。その後、４つの前記固定部材４０を取り外すことで、前記ファンユニット１０を前記フレーム３０から取り外すことができる。
【符号の説明】
【００１５】
１０  ファンユニット
１２  端壁
１２０  固定孔
２０  固定板
２４  係止部
３０  フレーム
３２  基板
３３  延伸部
２３、３２０  通風孔
３６  通孔
３８  挿入部
４０  固定部材
４２  ヘッド
４４  ピン
４６  環状槽
５０  ケーシング
５２  底板
【図１】
2013065815.tif 000003
【図２】
2013065815.tif 000004
【図３】
2013065815.tif 000005